(57)【要約】【課題】  マスタ版と差し替え版を、差し替え領域を中間データとして保持管理することで、差し替え版のレイアウト作業や管理を容易に行うことを可能とする媒体レイアウト支援システム等を提供する。【解決手段】  商品情報データベース３０１と掲載情報データベース３０２にアクセスするページレイアウト装置１０３は、分類領域割付手段１２１、分類領域／差し替え領域内のコマ割りを設定するコマ割付手段１２２、検索要求手段１２３、商品割付手段１２４、割付情報記録手段１２５、作成済みのマスタ版のレイアウトデータから選択された少なくとも１つの分類領域を差し替え領域として差し替え、選択された分類領域の全体の位置サイズを当該ページに関連付けられる差し替え領域情報として設定する差し替え領域作成手段１２８を備え、差し替え版のページレイアウト処理を行う。【選択図】  図１
2006260133.tif 000002
【特許請求の範囲】
【請求項１】
商品情報を記憶、管理する商品情報データベースと、ページ割付情報を記憶、管理する掲載情報データベースとを有し、前記商品情報及び前記ページ割付情報を提供するサーバに、ネットワークを介して接続され、クライアント端末からなるページレイアウト装置であって、
前記掲載情報データベースは、前記ページレイアウト装置により作成される、情報媒体を構成するページ毎の、互いに関連する複数の商品情報を掲載する分類領域に対応付けられる少なくとも１つの分類情報と、少なくとも１つの前記分類領域を差し替える差し替え領域に対応付けられる少なくとも１つの差し替え情報と、各分類情報／差し替え情報に関連付けられる分類領域／差し替え領域内のコマに対応付けられる少なくとも１つのコマ情報と、からなるページ割付情報を記憶、管理するデータベースであって、
前記ページ上に指定された分類領域に応じて、前記分類領域の位置サイズを、当該ページに関連付けられる前記分類情報として設定する分類領域割付手段と、
差し替え指示に応じて、作成済みの情報媒体のレイアウトデータから選択された少なくとも１つの前記分類領域を差し替え領域として差し替え、選択された分類領域の全体の位置サイズを、当該ページの差し替え版に関連付けられる前記差し替え情報として設定する差し替え領域作成手段と、
指定された前記分類領域／前記差し替え領域内のコマ割りに応じて、商品情報を掲載する少なくとも１つのコマを配置し、前記分類領域／前記差し替え領域に対応する前記分類情報／前記差し替え情報にコマ数分の前記コマ情報を関連付け、各コマ情報に当該コマの位置サイズを設定するコマ割付手段と、
入力された検索条件を受付け、前記商品情報データベースに対する商品情報の検索要求を前記サーバに送信する検索要求手段と、
前記サーバから取得した検索結果である１つ以上の商品情報群から選択された商品情報を指定されたコマに掲載し、該当するコマ情報に選択された商品情報を関連付ける商品割付手段と、
前記商品割付手段により作成したページ割付情報を、前記掲載情報データベースに対する登録、保持する登録手段と、
前記商品割付手段により作成したページ割付情報に基づき、各コマ情報に関連付ける商品情報を当該コマ情報の位置サイズに配置した割付結果を印刷出力する割付結果出力手段と、
前記商品割付手段により作成したページ割付情報から、前記情報媒体の制作に必要なデータを出力する媒体制作データ出力手段と、
を具備することを特徴とするページレイアウト装置。
【請求項２】
前記媒体制作データ出力手段は、
前記情報媒体の制作に必要なデータとして、前記商品情報データベースから、前記コマ情報に関連付けられた前記商品情報を取得し、テキストデータとして出力することを特徴とする請求項１記載のページレイアウト装置。
【請求項３】
前記商品情報は、
商品のスペックデータである文字情報、及び／又は前記商品の画像データである素材情報であることを特徴とする請求項１記載のページレイアウト装置。
【請求項４】
クライアント端末からなるページレイアウト装置と、商品情報を記憶、管理する商品情報データベースと、ページ割付情報を記憶、管理する掲載情報データベースとを有し、前記商品情報、及び前記ページ割付情報を提供するサーバと、がネットワークを介して接続される媒体レイアウト支援システムであって、
前記掲載情報データベースは、前記ページレイアウト装置により作成される、情報媒体を構成するページ毎の、互いに関連する複数の商品情報を掲載する分類領域に対応付けられる少なくとも１つの分類情報と、少なくとも１つの前記分類領域を差し替える差し替え領域に対応付けられる少なくとも１つの差し替え情報と、各分類情報／差し替え情報に関連付けられる分類領域／差し替え領域内のコマに対応付けられる少なくとも１つのコマ情報と、からなるページ割付情報を記憶、管理するデータベースであって、
前記ページレイアウト装置は、
前記ページ上に指定された分類領域に応じて、前記分類領域の位置サイズを、当該ページに関連付けられる前記分類情報として設定する分類領域割付手段と、
差し替え指示に応じて、作成済みの情報媒体のレイアウトデータから選択された少なくとも１つの前記分類領域を差し替え領域として差し替え、選択された分類領域の全体の位置サイズを、当該ページの差し替え版に関連付けられる前記差し替え情報として設定する差し替え領域作成手段と、
指定された前記分類領域／前記差し替え領域内のコマ割りに応じて、商品情報を掲載する少なくとも１つのコマを配置し、前記分類領域／前記差し替え領域に対応する前記分類情報／前記差し替え情報にコマ数分の前記コマ情報を関連付け、各コマ情報に当該コマの位置サイズを設定するコマ割付手段と、
入力された検索条件を受付け、前記商品情報データベースに対する商品情報の検索要求を前記サーバに送信する検索要求手段と、
前記サーバから取得した検索結果である１つ以上の商品情報群から選択された商品情報を指定されたコマに掲載し、該当するコマ情報に選択された商品情報を関連付ける商品割付手段と、
前記商品割付手段により作成したページ割付情報を、前記掲載情報データベースに対する登録、保持する登録手段と、
前記商品割付手段により作成したページ割付情報に基づき、各コマ情報に関連付ける商品情報を当該コマ情報の位置サイズに配置した割付結果を印刷出力する割付結果出力手段と、
前記商品割付手段により作成したページ割付情報から、前記情報媒体の制作に必要なデータを出力する媒体制作データ出力手段と、
を具備することを特徴とする媒体レイアウト支援システム。
【請求項５】
コンピュータを請求項１から請求項３のいずれかに記載のページレイアウト装置として機能させるプログラム。
【請求項６】
コンピュータを請求項１から請求項３のいずれかに記載のページレイアウト装置として機能させるプログラムを記録した記録媒体。
【発明の詳細な説明】
【技術分野】
【０００１】
本発明は、ネットワークを利用した、商品情報データベースと連携した媒体レイアウト支援システムに係り、特に、チラシ等の差し替え版作成機能に関する。媒体は、チラシ、カタログ等をいう。
【背景技術】
【０００２】
従来から、カタログ、チラシなど大量の商品情報データに関わる印刷物の編集制作に適した、データベースを具備したページレイアウトシステムが実用化されている（例えば、特許文献１）。
【０００３】
更に、近年、媒体制作を行う際に、コンピュータの普及に伴い、カタログに載せる商品データをデータベース化して利用することが始まっている。得意先を含めた形態で、データベースと連携して制作作業を行うことができるデスクトップパブリッシング（ＤＴＰ）作業と親和性の高い媒体制作システムが運用され、媒体制作作業の効率化が図られてきている。
【０００４】
また、媒体制作を行う際に、作成済みのレイアウトデータをパターンとして登録しておき、このパターンとして読み出し再利用することにより、新たなレイアウトデータの作成を容易にするレイアウト装置が存在する（例えば、特許文献２）。
【０００５】
【特許文献１】特開２００４−２２０５４８号公報
【特許文献２】特開平７−９８７０４号公報
【発明の開示】
【発明が解決しようとする課題】
【０００６】
しかしながら、従来、全国に販売ルートをもつ量販店などのチラシには、マスタ版と一部差し替えを行っている差し替え版があり、レイアウト指示をそれぞれ作成する必要がある。レイアウト指示は、従来の作業では、指示作業とその管理が非常に煩雑になっている。
図１１は、従来のページレイアウトシステムにおける差し替え版作成を示す図である。図１１に示すように、従来のページレイアウトシステム１０００は、マスタ版１０２１のレイアウトデータを基に、手書き指示により、マスタ版１０２１と一部差し替えを行っている差し替え版Ｘ、Ｙ、Ｚ等を作成する。マスタ版１０２１に、分類領域１０２２の位置、サイズなど変更があれば、差し替え版Ｘ、Ｙ、Ｚすべて、エリアの修正作業を行う必要があり、手間がかかる上、間違いが発生しやすく、作業効率の低下を招く原因となっていた。
【０００７】
本発明は、以上の点に鑑みてなされたものであり、マスタ版と差し替え版を、差し替え領域を中間データとして保持管理することで、差し替え版のレイアウト作業や管理を容易に行うことを可能とする媒体レイアウト支援システム等を提供することを目的とする。
【課題を解決するための手段】
【０００８】
前述した目的を達成するために第１の発明は、商品情報を記憶、管理する商品情報データベースと、ページ割付情報を記憶、管理する掲載情報データベースとを有し、前記商品情報及び前記ページ割付情報を提供するサーバに、ネットワークを介して接続され、クライアント端末からなるページレイアウト装置であって、前記掲載情報データベースは、前記ページレイアウト装置により作成される、情報媒体を構成するページ毎の、互いに関連する複数の商品情報を掲載する分類領域に対応付けられる少なくとも１つの分類情報と、少なくとも１つの前記分類領域を差し替える差し替え領域に対応付けられる少なくとも１つの差し替え情報と、各分類情報／差し替え情報に関連付けられる分類領域／差し替え領域内のコマに対応付けられる少なくとも１つのコマ情報と、からなるページ割付情報を記憶、管理するデータベースであって、前記ページ上に指定された分類領域に応じて、前記分類領域の位置サイズを、当該ページに関連付けられる前記分類情報として設定する分類領域割付手段と、差し替え指示に応じて、作成済みの情報媒体のレイアウトデータから選択された少なくとも１つの前記分類領域を差し替え領域として差し替え、選択された分類領域の全体の位置サイズを、当該ページの差し替え版に関連付けられる前記差し替え情報として設定する差し替え領域作成手段と、指定された前記分類領域／前記差し替え領域内のコマ割りに応じて、商品情報を掲載する少なくとも１つのコマを配置し、前記分類領域／前記差し替え領域に対応する前記分類情報／前記差し替え情報にコマ数分の前記コマ情報を関連付け、各コマ情報に当該コマの位置サイズを設定するコマ割付手段と、入力された検索条件を受付け、前記商品情報データベースに対する商品情報の検索要求を前記サーバに送信する検索要求手段と、前記サーバから取得した検索結果である１つ以上の商品情報群から選択された商品情報を指定されたコマに掲載し、該当するコマ情報に選択された商品情報を関連付ける商品割付手段と、前記商品割付手段により作成したページ割付情報を、前記掲載情報データベースに対する登録、保持する登録手段と、前記商品割付手段により作成したページ割付情報に基づき、各コマ情報に関連付ける商品情報を当該コマ情報の位置サイズに配置した割付結果を印刷出力する割付結果出力手段と、前記商品割付手段により作成したページ割付情報から、前記情報媒体の制作に必要なデータを出力する媒体制作データ出力手段と、を具備することを特徴とするページレイアウト装置である。
【０００９】
また、前記媒体制作データ出力手段は、前記情報媒体の制作に必要なデータとして、前記商品情報データベースから、前記コマ情報に関連付けられた前記商品情報を取得し、テキストデータとして出力することが望ましい。
【００１０】
第１の発明によるページレイアウト装置は、商品情報を記憶、管理する商品情報データベースと、ページ割付情報を記憶、管理する掲載情報データベースとを有し、前記商品情報及び前記ページ割付情報を提供するサーバに、ネットワークを介して接続され、掲載情報データベースは、本ページレイアウト装置により作成される、情報媒体を構成するページ毎の、互いに関連する複数の商品情報を掲載する分類領域に対応付けられる少なくとも１つの分類情報と、少なくとも１つの分類領域を差し替える差し替え領域に対応付けられる少なくとも１つの差し替え情報と、各分類情報／差し替え情報に関連付けられる分類領域／差し替え領域内のコマに対応付けられる少なくとも１つのコマ情報と、からなるページ割付情報を記憶、管理するデータベースであって、ページ上に指定された分類領域に応じて、前記分類領域の位置サイズを、当該ページに関連付けられる前記分類情報として設定し、差し替え指示に応じて、作成済みの情報媒体のレイアウトデータから選択された少なくとも１つの分類領域を差し替え領域として差し替え、選択された分類領域の全体の位置サイズを、当該ページの差し替え版に関連付けられる前記差し替え情報として設定し、指定された分類領域／差し替え領域内のコマ割りに応じて、商品情報を掲載する少なくとも１つのコマを配置し、分類領域／差し替え領域に対応する分類情報／差し替え情報にコマ数分のコマ情報を関連付け、各コマ情報に当該コマの位置サイズを設定し、入力された検索条件を受付け、商品情報データベースに対する商品情報の検索要求をサーバに送信し、サーバから取得した検索結果である１つ以上の商品情報群から選択された商品情報を指定されたコマに掲載し、該当するコマ情報に選択された商品情報を関連付け、作成したページ割付情報を、掲載情報データベースに対する登録、保持する。また、作成したページ割付情報に基づき、各コマ情報に関連付ける商品情報を当該コマ情報の位置サイズに配置した割付結果を印刷出力し、また、作成したページ割付情報から、情報媒体の制作に必要なデータを出力する。
【００１１】
「商品情報」は、商品の文字情報（スペックなど）や、商品の素材情報（画像情報）等からなる。
「ページ割付情報」は、情報媒体を構成するページ毎の、互いに関連する複数の商品情報を掲載する分類領域の位置とサイズとを有する少なくとも１つの分類情報と、少なくとも１つの分類領域を差し替える差し替え領域に対応付けられる少なくとも１つの差し替え情報と、各分類情報／差し替え情報に関連付けられる分類領域／差し替え領域内のコマに対応付けられる少なくとも１つのコマ情報と、からなる。
「情報媒体（媒体）」は、具体的には、チラシ、カタログ等をいう。紙に印刷されるか、デジタルデータで利用されるかは問わない。
「ページ」は情報媒体を構成し、ページ上に少なくとも１つ以上の互いに関連する複数の商品情報を掲載するまとまった領域である「分類領域」を有する。各分類領域内に、コマ割りに応じて、少なくとも１つ以上の「コマ（掲載領域）」を有し、「コマ（掲載領域）」には、１つの商品情報が掲載される。また、ページ上の分類領域、コマ（掲載領域）等のデータから構成される「マスタ版」に対して、分類領域を一部差し替えて作成される「差し替え版」を有し、「差し替え版」は、「差し替え領域」、「コマ（掲載領域）」等のデータから構成される。
【００１２】
第１の発明では、マスタ版と差し替え版を「差し替え領域」を中間データとして保持管理することで、両者がリンクされ、差し替え版のレイアウト指示間違いなどが削減し、差し替え版のレイアウト指示作業や管理が簡単に出来るようになり、品質が向上する。また、システム化することで、レイアウト指示時間の短縮が望め、チラシ等のページレイアウト作業の効率化が図れ、かつレイアウト作業の結果をその後のＤＴＰ作業に無駄なくスムーズに利用できる媒体レイアウト支援システムを提供できる。
また、マスタ版の差し替える領域の座標と位置を、「差し替え領域」という中間データを介して、差し替え版のサイズや位置に継承することで、同じ大きさのエリアを維持することができ、差し替え版作成の簡略化やマスタ版の変更を差し替え版へ柔軟に対応できるようになる。
【００１３】
また、第２の発明は、クライアント端末からなるページレイアウト装置と、商品情報を記憶、管理する商品情報データベースと、ページ割付情報を記憶、管理する掲載情報データベースとを有し、前記商品情報、及び前記ページ割付情報を提供するサーバと、がネットワークを介して接続される媒体レイアウト支援システムであって、前記掲載情報データベースは、前記ページレイアウト装置により作成される、情報媒体を構成するページ毎の、互いに関連する複数の商品情報を掲載する分類領域に対応付けられる少なくとも１つの分類情報と、少なくとも１つの前記分類領域を差し替える差し替え領域に対応付けられる少なくとも１つの差し替え情報と、各分類情報／差し替え情報に関連付けられる分類領域／差し替え領域内のコマに対応付けられる少なくとも１つのコマ情報と、からなるページ割付情報を記憶、管理するデータベースであって、前記ページレイアウト装置は、前記ページ上に指定された分類領域に応じて、前記分類領域の位置サイズを、当該ページに関連付けられる前記分類情報として設定する分類領域割付手段と、差し替え指示に応じて、作成済みの情報媒体のレイアウトデータから選択された少なくとも１つの前記分類領域を差し替え領域として差し替え、選択された分類領域の全体の位置サイズを、当該ページの差し替え版に関連付けられる前記差し替え情報として設定する差し替え領域作成手段と、指定された前記分類領域／前記差し替え領域内のコマ割りに応じて、商品情報を掲載する少なくとも１つのコマを配置し、前記分類領域／前記差し替え領域に対応する前記分類情報／前記差し替え情報にコマ数分の前記コマ情報を関連付け、各コマ情報に当該コマの位置サイズを設定するコマ割付手段と、入力された検索条件を受付け、前記商品情報データベースに対する商品情報の検索要求を前記サーバに送信する検索要求手段と、前記サーバから取得した検索結果である１つ以上の商品情報群から選択された商品情報を指定されたコマに掲載し、該当するコマ情報に選択された商品情報を関連付ける商品割付手段と、前記商品割付手段により作成したページ割付情報を、前記掲載情報データベースに対する登録、保持する登録手段と、前記商品割付手段により作成したページ割付情報に基づき、各コマ情報に関連付ける商品情報を当該コマ情報の位置サイズに配置した割付結果を印刷出力する割付結果出力手段と、前記商品割付手段により作成したページ割付情報から、前記情報媒体の制作に必要なデータを出力する媒体制作データ出力手段と、を具備することを特徴とする媒体レイアウト支援システムである。
【００１４】
第２の発明は、第１の発明のページレイアウト装置と、データベース管理を行い、商品情報、ページ割付情報を提供するサーバから構成される媒体レイアウト支援システムに関する発明である。
【００１５】
第３の発明は、コンピュータを第１の発明のページレイアウト装置として機能させるプログラムである。
第４の発明は、コンピュータを第１の発明のページレイアウト装置として機能させるプログラムを記録した記録媒体である。
【００１６】
上述のプログラムをＣＤ−ＲＯＭ等の記録媒体に保持させて流通させてもよいし、このプログラムを通信回線を介して送受することもできる。
【発明の効果】
【００１７】
本発明は、マスタ版と差し替え版を、差し替え領域を中間データとして保持管理することで、差し替え版のレイアウト作業や管理を容易に行うことを可能とする媒体レイアウト支援システム等を提供することができる。
【発明を実施するための最良の形態】
【００１８】
以下に、添付図面を参照しながら、本発明に係る媒体レイアウト支援システム等の好適な実施形態について詳細に説明する。なお、以下の説明および添付図面において、略同一の機能構成を有する構成要素については、同一の符号を付することにより重複説明を省略することにする。
【００１９】
図１は、本発明の本実施の形態に係る媒体レイアウト支援システム１００の概略構成を示す図である。
【００２０】
図１は、媒体レイアウト支援システム１００の１例であり、図１に示すように、媒体レイアウト支援システム１００は、サーバ１０１、複数のクライアント端末１０３等が、ネットワーク１０９を介して接続されて構成される。
【００２１】
ネットワーク１０９は、インターネット、ローカルエリアネットワーク（ＬＡＮ）、社内ＬＡＮ等のネットワークであり、有線、無線を問わない。
【００２２】
サーバ１０１は、サーバコンピュータ等であり、データベース管理手段１１１を有する。データベース管理手段１１１は、データベースエンジンであり、クライアント端末（ページレイアウト装置）１０３からの要求に応じて、商品情報データベース３０１、及び掲載情報データベース３０２への検索、参照、登録、削除等の各種要求に対する該当処理を行う。
【００２３】
クライアント端末１０３は、パーソナルコンピュータ、携帯型端末機（Ｐｅｒｓｏｎａｌ  Ｄｉｇｉｔａｌ  Ａｓｓｉｓｔａｎｔ）等である。クライアント端末１０３は、ページレイアウト装置であり、サーバ１０１の商品情報データベース３０１を利用してチラシ、カタログ等の媒体制作時における、媒体のページレイアウト、商品割り付け処理、及びチラシ等のマスタ版と一部差し替えを行っている差し替え版のレイアウト処理を行う。
尚、媒体とは、情報媒体であり、具体的には、商品カタログ、チラシ等をいう。紙に印刷されるか、デジタルデータで利用されるかは問わない。本実施形態では、媒体としてチラシを用いて説明する。
【００２４】
クライアント端末（ページレイアウト装置）１０３は、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、差し替え領域作成手段１２８等を有する。
【００２５】
分類領域割付手段１２１は、チラシ（媒体）を構成するページ上に、互いに関連する複数の商品情報を掲載する分類毎の領域である分類領域を設定する。
コマ（掲載領域）割付手段１２２は、各分類領域／差し替え領域内のコマ割りを設定する。コマは、１商品情報を掲載する掲載領域である。
検索要求手段１２３は、商品情報データベース３０１に対する商品情報の検索要求をサーバ１０１に送信する。
商品割付手段１２４は、検索結果である商品情報群から、選択された商品情報を指定されたコマに割り付ける。
割付情報記録手段１２５は、作成した割付情報を、サーバ１０１を介して、掲載情報データベース３０２に登録、保持する。
割付結果出力手段１２６は、割付情報に基づき、割付結果を印刷出力する。
媒体制作データ出力手段１２７は、割付情報から、チラシ（媒体）の制作に必要なテキストデータを出力する。
差し替え領域作成手段１２８は、差し替え指示に応じて、作成済みのチラシ（マスタ版）のレイアウトデータから選択された少なくとも１つの分類領域を差し替え領域として設定し、差し替え領域を作成する。
【００２６】
尚、本実施の形態の媒体レイアウト支援システム１００は、ＷＷＷ（Ｗｏｒｌｄ  Ｗｉｄｅ  Ｗｅｂ）技術を用いて実現し、サーバ１０１はＷｅｂサーバを、クライアント端末１０３はＷｅｂブラウザを搭載し、サーバ１０１とクライアント端末１０３は、夫々、Ｗｅｂサーバ、Ｗｅｂブラウザを介して、データの送受信を行う。
【００２７】
次に、サーバ１０１のハードウェア構成を説明する。図２は、サーバ１０１のハードウェア構成図である。
【００２８】
サーバ１０１は、制御部２０１、記憶部２０２、メディア入出力部２０３、通信制御部２０４、入力部２０５、表示部２０６、印刷部２０７等が、システムバス２０９を介して接続されて構成される。
【００２９】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００３０】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う各種データベース管理処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３１】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う各種データベース管理処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３２】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３３】
通信制御部２０４は、通信制御装置、通信ポート等を有し、サーバ１０１とネットワーク１０９間の通信を媒介する通信インタフェースであり、ネットワーク１０９を介して、サーバ１０１と、クライアント端末１０３間の通信制御を行う。
【００３４】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００３５】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３６】
印刷部２０７は、プリンタであり、印刷出力処理を行う。
【００３７】
システムバス２０９は、各装置間の制御信号、データ信号等の授受を媒介する経路である。
【００３８】
次に、図３を参照しながら、サーバ１０１の記憶部２０２が保持する情報について説明する。図３は、記憶部２０２が保持する情報を示す図である。
【００３９】
記憶部２０２内には、複数の商品情報データベース３０１、掲載情報データベース３０２、及び制御プログラム３９１、アプリケーションプログラム３９２等が格納されている。
【００４０】
図４は、商品情報データベース３０１と掲載データベース３０２のデータ構造を示す図である。
図４に示すように、商品情報データベース３０１は、複数の商品情報３１０等からなる。尚、サーバ１０１が管理する商品情報データベース３０１は、必要に応じて、複数存在してもよい。
【００４１】
商品情報３１０は、商品情報ＩＤ、商品のスペック情報３１１（文字情報）、商品の素材情報３１２（画像情報）等からなる。
【００４２】
尚、商品情報データベース３０１のデータ構成は、この構成に限られるものではない。
【００４３】
掲載情報データベース３０２は、クライアント端末（ページレイアウト装置）１０３により作成される割付情報３２０からなる。
割付情報３２０は、チラシ等の媒体を構成するページ２１毎のページレイアウトの情報であり、マスタ情報３２１、少なくとも１つの分類情報３２２、少なくとも１つのコマ情報３２３、少なくとも１つの差し替え版情報３２４、少なくとも１つの差し替え領域情報３２５等からなる。
【００４４】
図５は、ページレイアウトの情報のデータ構成を示す図である。
図５に示すように、作成するページレイアウトの情報は、ページ２１、分類領域２２、コマ（掲載領域）２３の階層構造でデータを管理する。
ページ２１はチラシ（情報媒体）を構成し、ページ２１上に少なくとも１つ以上の互いに関連する複数の商品情報を掲載するまとまった領域である分類領域２１を有する。各分類領域２２内に、コマ割りに応じて、少なくとも１つ以上のコマ（掲載領域）２３を有し、コマ（掲載領域）２３には、１つの商品情報３１０が掲載される。
また、ページ２１上の分類領域２２、コマ（掲載領域）２３等のデータから構成されるマスタ版２０に対して、分類領域２２を一部差し替え作成される少なくとも１つの差し替え版２４を有し、差し替え版２４は、少なくとも１つの差し替え領域２５、コマ（掲載領域）２３等のデータから構成される。
【００４５】
マスタ情報３２１は、マスタＩＤ、チラシ（媒体）名、サイズ、発刊日等からなり、マスタ版２０の情報である。
【００４６】
分類情報３２２は、互いに関連する複数の商品情報３１０（スペック情報３１１、素材情報３１２等の商品値組情報）を掲載する分類領域２２の位置サイズ情報であり、マスタ情報３２１から関連付けられる少なくとも１つ以上の分類情報３２２からなる。分類情報３２２は、マスタＩＤ、分類ＩＤ、分類領域サイズ、分類領域位置情報（例えば、分類領域左下座標、分類領域座標右上座標）等からなる。
【００４７】
コマ情報３２３は、各分類領域２２内に割り付けられるコマ（掲載領域）２３の位置サイズ情報及び掲載する商品情報ＩＤであり、分類情報３２２から関連付けられる少なくとも１つ以上のコマ情報３２３からなる。コマ情報３２３は、分類ＩＤ、コマＩＤ、コマサイズ、コマ位置情報（例えば、コマ左下座標、コマ座標右上座標）、掲載する商品情報ＩＤ等からなる。
尚、掲載情報データベース３０２のデータ構成は、この構成に限られるものではない。
【００４８】
差し替え版情報３２４は、マスタ情報３２１から関連付けられるマスタ版２０の一部差し替え作成される差し替え版２４の情報であり、マスタＩＤ、差し替え版ＩＤ、差し替え版名等からなる。
【００４９】
差し替え領域情報３２５は、マスタ版２０のレイアウトデータの少なくとも１つの分類領域２２を差し替える差し替え領域２５の位置サイズ情報であり、差し替え版情報３２４から関連付けられる少なくとも１つ以上の差し替え領域情報３２５からなる。差し替え領域情報３２５は、差し替え版ＩＤ、差し替え領域ＩＤ、差し替え領域名、差し替え領域サイズ、差し替え領域位置情報（例えば、差し替え領域左下座標、差し替え領域座標右上座標）等からなる。尚、差し替え領域２５の位置サイズ情報は、隣接する複数の分類領域２２を選択した場合は、複数の分類領域２２全体の位置サイズ情報である。
【００５０】
コマ情報３２３は、各差し替え領域２５内に割り付けられるコマ（掲載領域）２３の位置サイズ情報及び掲載する商品情報ＩＤであり、差し替え領域情報３２５から関連付けられる少なくとも１つ以上のコマ情報３２３からなる。コマ情報３２３は、差し替え領域ＩＤ、コマＩＤ、コマサイズ、コマ位置情報（例えば、コマ左下座標、コマ座標右上座標）、掲載する商品情報ＩＤ等からなる。
尚、掲載情報データベース３０２のデータ構成は、この構成に限られるものではない。
【００５１】
制御プログラム３９１は、サーバ１０１の各構成部分を駆動制御するプログラムであり、ＯＳ（オペレーティングシステム）に相当する。
アプリケーションプログラム３９２は、サーバ１０１が行うデータ管理手段１１１に相当する実行可能プログラムである。
【００５２】
次に、図６を参照しながら、クライアント端末１０３（ページレイアウト装置）１０３のハードウェア構成を説明する。図６は、クライアント端末１０３（ページレイアウト装置）１０３のハードウェア構成図である。
【００５３】
クライアント端末１０３は、制御部４０１、記憶部４０２、通信制御部４０３、メディア入出力部４０４、入力部４０５、表示部４０６、印刷部４０７等が、システムバス４０９を介して接続される。
クライアント端末１０３のハードウェア構成は、図２について前述したサーバ１０１と同様の構成を採る。
【００５４】
尚、記憶部４０２には、プログラムに関しては、ＯＳ（オペレーティングシステム）に相当する制御プログラム３９１や、本コンピュータを適用するクライアント端末（ページレイアウト装置）１０３が行う後述の処理に相当する（図７、図８参照）実行可能プログラムであり、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、差し替え領域作成手段１２８等を該当するページレイアウト処理プログラムである。これらの各プログラムコードは、制御部４０１により必要に応じて読み出されてＲＡＭに移され、ＣＰＵに読み出されて各種の手段として実行される。
【００５５】
次に、図７、図８を参照しながら、クライアント端末（ページレイアウト装置）１０３の差し替え版２４のページレイアウト処理の処理動作について説明する。図７、図８は、クライアント端末（ページレイアウト装置）１０３の差し替え版２４のページレイアウト処理の処理手順を示すフローチャートである。図９は差し替え版２４のページレイアウト処理の画面遷移図である。
【００５６】
クライアント端末１０３の記憶部４０２には、アプリケーションプログラム３９２であるページレイアウト処理プログラムがインストールされており、以下のクライアント端末１０３のページレイアウト処理（分類領域割付手段１２１、コマ（掲載領域）割付手段１２２、検索要求手段１２３、商品割付手段１２４、割付情報記録手段１２５、割付結果出力手段１２６、媒体制作データ出力手段１２７、差し替え領域作成手段１２８等）は、クライアント１０３の制御部４０１によって行われる。
サーバ１０１の記憶部２０２には、アプリケーションプログラム３９２であるデータベース管理プログラムがインストールされている。以下のサーバ１０１の処理は、このデータベース管理プログラムの制御に従って、サーバ１０１の制御部２０１によって行われる。
【００５７】
クライアント端末（ページレイアウト装置）１０３の制御部４０１は、サーバ１０１にアクセスし、商品情報データベース３０１にログイン要求を行う（ステップＳ７０１）。
【００５８】
例えば、クライアント端末１０３から、サーバ１０１の所定のＵＲＬを指定してサーバ１０１にアクセスし、サーバ１０１の制御部２０１は、ログイン画面データをクライアント端末１０３に送信する。クライアント端末１０３の制御部４０１は、ログイン画面６０に従って、入力されたユーザＩＤ、パスワード、サーバ名をサーバ１０１に送信する。
【００５９】
サーバ１０１の制御部２０１は、受け取ったユーザＩＤ、パスワード等からユーザ認証を行い、正しくユーザ認証された場合、指定されたサーバ名に応じた商品情報データベース３０１を設定、接続する（ステップＳ７０２）。
【００６０】
クライアント端末１０３の制御部４０１は、レイアウト画面１０を表示する（ステップＳ７０３）。制御部４０１は、サーバ１０１から掲載情報データベース３０２の既存のチラシの割付情報３２０を読み込み、読み込んだ情報からレイアウト画面１０を作成し、表示する。
【００６１】
図１０は、レイアウト画面１０を示す図である。
図１０に示すように、レイアウト画面１０には、チラシ（媒体）ツリー１１、チラシリスト１２、レイアウトエリア１３、掲載リスト１４、メニュバー１５等が表示される。
【００６２】
チラシ（媒体）ツリー１１は、マスタ情報３２１に基づいたチラシ（媒体）のツリー構造を表す。
チラシリスト１２は、チラシ（媒体）ツリー１１の中から選択されたフォルダに含まれるチラシ情報１６を示すチラシ一覧を表示する。チラシ情報１６は、割付情報３２０のマスタ情報３２１であるチラシ名、紙サイズ、発刊日等からなる。
レイアウトエリア１３は、レイアウト作業を行うエリアであり、レイアウトデータが表示される。分類割付２８、コマ割付２６、差し替え設定２７等の制御ボタンを有する。
掲載リスト１４は、レイアウトエリア１３に表示されたページ２１のコマ（掲載領域）２３に配置された商品情報ＩＤ、コマサイズ等を示すコマ情報レコード１７からなる。
メニュバー１５は、ページレイアウト装置の様々な操作を行うためのメニュを呼び出すインタフェースである。例えば、商品情報データベース３０１に対して検索を行う場合は、メニュバー１５の「検索」をプルダウンして検索ダイアログを呼び出す。
【００６３】
クライアント端末（ページレイアウト装置）１０３の制御部４０１は、チラシリスト１２からの所望するチラシ情報１６の選択により、該当する割付情報３２０に基づき、レイアウトエリア１３上にチラシ（マスタ版）のレイアウト表示を行う（ステップＳ７０４）（図９（１）マスタ版の表示）。
【００６４】
制御部４０１は、差し替える分類領域２２の選択により、差し替え版２４の差し替え領域２５を設定する（ステップＳ７０５）（図９（２）差し替え版の差し替え領域選択、（３）差し替え領域設定）。
【００６５】
例えば、利用者は、レイアウトエリア１３上の差し替える少なくとも１つの分類領域２２を選択し、差し替え設定ボタン２７を押下すると、表示された差し替え領域設定画面３０に、差し替え版名３１、差し替え領域名３２等を指定する。複数の差し替え領域２５を設定する場合、続けて、差し替える分類領域２２を選択し、差し替え領域名３２を指定する。
例えば、レイアウトエリア１３上の差し替える分類領域２２「分類３」と「分類５」を選択し、差し替え領域設定画面３０で、差し替え版名３１「関西版」、差し替え領域名３２「Ａ」を指定し、更に、レイアウトエリア１３上の差し替える分類領域２２「分類７」を選択し、差し替え領域名３２「Ｂ」を指定する。差し替え版「関西版」として、差し替え領域「Ａ」、差し替え領域「Ｂ」を指定したことになる。
【００６６】
制御部４０１は、当該ページのマスタ情報３２１に関連付けられる差し替え版情報３２４を作成する。差し替え版情報３２４として、当該マスタＩＤ、差し替え版ＩＤ、指定された差し替え版名３１等を設定する。次に、選択された少なくとも１つの分類領域２２を差し替える１つの差し替え領域２５として配置し、当該差し替え版情報３２４に関連付けられる差し替え領域情報３２５として、関連付けられる差し替え版ＩＤ、差し替え領域ＩＤ、指定された差し替え領域名、差し替え領域サイズ、差し替え領域位置情報等を設定する。差し替え領域サイズ、差し替え領域位置情報は、選択された少なくとも１つの分類領域２２の全体の位置サイズを設定する。
尚、本実施の形態では、差し替え領域設定画面３０にて、差し替え版名、差し替え領域２５等を指定し、差し替え版情報３２４、差し替え領域情報３２５を設定したが、これに限るわけではない。例えば、予め、差し替え版名を設定しておいてもよい。
【００６７】
制御部４０１は、設定した差し替え版２４の差し替え領域２５を表示する（ステップＳ７０６）（図９（４）差し替え版の表示）。
例えば、差し替え版２４として、分類領域２２「分類３」、「分類５」を差し替えた差し替え領域２５「Ａ」と、分類領域２２「分類７」を差し替えた差し替え領域２５「Ｂ」を表示する。
ステップＳ７０５、Ｓ７０６の処理は、差し替え領域作成手段１２８に相当する。
【００６８】
制御部４０１は、各差し替え領域２５内のコマ割りを設定する（ステップＳ７０７）（図９（５）差し替え領域２５内のコマ割り設定）。
【００６９】
例えば、利用者はコマ割付ボタン２６を押下すると、表示された「縦分割数」×「横分割数」からなる複数種類の掲載枠の掲載枠リストから、選択した任意の掲載枠を、レイアウトエリア１３の指定された差し替え領域２５にドラッグ＆ドロップすることにより、コマ割りを指定する。
制御部４０１は、指定されたコマ割りに応じて、レイアウトエリア１３上の当該差し替え領域２５にコマ２３を表示し、該当する差し替え領域２５にコマ数分の関連付けられるコマ情報３２３を作成する。コマ情報３２３として、差し替え領域ＩＤ、コマＩＤ、コマサイズ、コマ位置情報等を設定する。
ステップＳ７０７の処理は、コマ（掲載領域）割付手段１２２に相当する。
【００７０】
制御部４０１は、検索機能により指定された検索条件の商品情報検索要求をサーバ１０１に送信する（ステップＳ７０８）。
利用者は、レイアウト画面１０上のメニュバー１５の「検索」をプルダウンして表示された検索メニュ（図示せず）から検索機能を選択し、制御部４０１は、商品検索画面（図示せず）を表示し、指定された検索条件の商品情報検索要求を送信する。
【００７１】
サーバ１０１の制御部２０１は、指定された検索条件に基づいて、商品情報データベース３０１から商品情報３１０を検索し、検索結果データを送信する（ステップＳ７０９）。
ステップＳ７０８、Ｓ７０９の処理は、商品検索要求手段１２４に相当する。
【００７２】
クライアント端末（ページレイアウト装置）１０３の制御部４０１は、受け取った検索結果データである検索結果リストから、選択された商品情報を差し替え領域２５の指定されたコマ２３に割り付け、商品情報の割付結果をレイアウトエリア１３に表示する（ステップＳ７１０）。
ステップＳ７１０の処理は、商品割付手段１２４に相当する。
【００７３】
また、差し替え版２４とマスタ版２０のレイアウトエリア１３の切り替え表示は、例えば、マスタ版のチラシ名、各差し替え版名等を明記したレイアウトエリア１３のマスタ版２０と各差し替え版２４の切り替えタブである「マスタ版」タブ４１（例えば、「チラシ０２」）、「差し替え版」タブ４２（例えば、「関西版」）等により行う。
マスタ版２０の分類領域２２の位置サイズを変更する場合、「マスタ版」タブ４１により、制御部４０１は、当該チラシのマスタ版２０のレイアウトを表示し、分類領域２２、コマ割り等の変更を行う。その際、制御部４０１は、差し替え版の差し替え領域２５に関連して、分類領域２２を所定の位置やサイズを超えて変更すると、警告メッセージ、アラート等を出力し、注意を促す。
尚、差し替え版２４とマスタ版２０のレイアウトエリア１３の表示切り替えは、この切り替えタブによるものに限らない。
【００７４】
差し替え版２４のレイアウト処理が終了すると、制御部４０１は、作成した割付情報３２０を掲載情報データベース３０２に登録、保存要求を送信する（ステップＳ７１１）。
サーバ１０１の制御部２０１は、受け取った割付情報３２０を掲載情報データベース３０２に登録、保存する（ステップＳ７１２）。
ステップＳ７１１、ステップＳ７１２の処理は、割付情報記録手段１２５に相当する。
【００７５】
また、制御部４０１は、割付結果出力手段１２６に相当する割付結果出力機能として、サーバ１０１に対して、商品情報データベース３０１に対するコマ情報３２３の関連付けられる商品情報ＩＤの商品情報取得要求を送信し、サーバ１０１から取得した商品情報３１０の項目値（スペック情報３１１及び／又は素材情報３１２）を各コマ２３に配置して作成した割付結果データを印刷出力する。この出力物は、後の工程であるＤＴＰ作業の作業者への指示書として利用することができる。
【００７６】
また、制御部４０１は、媒体制作データ出力手段１２７に相当する媒体制作データ出力機能として、同様にサーバ１０１から取得した商品情報３１０の項目値（スペック情報３１１及び／又は素材情報３１２）からテキストデータを作成し、出力する。出力したテキストデータは、ＤＴＰ作業で流し込みに利用することができる。
【００７７】
以上説明したように、本発明の実施の形態によれば、商品情報を記憶管理する商品情報データベース３０１と、チラシのページ毎の割付情報３２０を記憶管理する掲載情報データベース３０２にアクセスするページレイアウト装置１０３は、ページ２１上に互いに関連する複数の商品情報３１０を掲載する分類領域２２を設定する分類領域割付手段１２１と、分類領域２２／差し替え領域２５内のコマ割りを設定するコマ割付手段１２２と、商品情報データベース３０１に対する商品情報検索要求を行う検索要求手段１２３と、取得した検索結果から選択した商品情報３１０を指定したコマ２３に配置し、割付情報３２０を作成する商品割付手段１２４と、割付情報３２０を、掲載情報データベース３０２に登録、保持する割付情報記録手段１２５と、差し替え指示に応じて、マスタ版のレイアウトデータから選択された少なくとも１つの分類領域２２を１つの差し替え領域２５として配置し、選択された少なくとも１つの分類領域２２の全体の位置サイズを、当該ページに関連付けられる差し替え領域情報３２５として設定する差し替え領域作成手段１２８と、を備え、マスタ版２０と一部差し替えて作成する差し替え版２４のページレイアウト処理を行う。
【００７８】
これにより、マスタ版と差し替え版を「差し替え領域」を中間データとして保持管理することで、両者がリンクされ、差し替え版のレイアウト指示間違いなどが削減し、差し替え版のレイアウト指示作業や管理が簡単に出来るようになり、品質を向上させる。また、システム化することで、レイアウト指示時間の短縮が望め、チラシ等のページレイアウト作業の効率化が図れ、かつレイアウト作業の結果をその後のＤＴＰ作業に無駄なくスムーズに利用できる媒体レイアウト支援システムを提供できる。
また、マスタ版の差し替える領域の座標と位置を、「差し替え領域」という中間データを介して、差し替え版のサイズや位置に継承することで、同じ大きさのエリアを維持することができ、差し替え版作成の簡略化やマスタ版の変更を差し替え版へ柔軟に対応できるようになる。
【００７９】
尚、本実施の形態では、サーバ１０１に、データベース管理手段１１１、商品情報データベース３０１、掲載情報データベース３０２等を有し、クライアント端末（ページレイアウト装置）１０３に、分類領域割付手段１２１、コマ（掲載領域）割付手段１２２、検索要求手段１２３、商品割付手段１２４、割付情報記録手段１２５、割付結果出力手段１２６、媒体制作データ出力手段１２７、差し替え領域設定手段１２８等を有し、これらの実行可能プログラムであるページレイアウトプログラムを起動し、サーバ１０１側のデータベース管理手段１１１を介して、商品情報データベース３０１や掲載情報データベース３０２をアクセスしながら、ページレイアウト処理を行うが、サーバ側に、ページレイアウトプログラムを搭載し、クライアント端末１０３からサーバ１０１のアプリケーションであるページレイアウト手段をアクセス、起動してもよい。
【００８０】
尚、図７、図８等に示す処理を行うプログラムはＣＤ−ＲＯＭ等の記録媒体に保持させて流通させてもよいし、このプログラムを通信回線を介して送受することもできる。
【００８１】
以上、添付図面を参照しながら、本発明に係る媒体レイアウト支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００８２】
【図１】本実施の形態に係る媒体レイアウト支援システム１００の概略構成を示す図
【図２】サーバ１０１のハードウェア構成図
【図３】記憶部２０２が保持する情報を示す図
【図４】商品情報データベース３０１と掲載情報データベース３０２のデータ構造を示す図
【図５】ページレイアウトの情報のデータ構成を示す図
【図６】クライアント端末（ページレイアウト装置）１０３のハードウェア構成図
【図７】クライアント端末（ページレイアウト装置）１０３の差し替え版のページレイアウト処理の処理手順を示すフローチャート
【図８】クライアント端末（ページレイアウト装置）１０３の差し替え版のページレイアウト処理の処理手順を示すフローチャート
【図９】差し替え版のページレイアウト処理の画面遷移図
【図１０】レイアウト画面１０を示す図
【図１１】従来のページレイアウトシステムにおける差し替え版の作成を示す図
【符号の説明】
【００８３】
１００………媒体レイアウト支援システム
１０１………サーバ
１０３………クライアント端末（ページレイアウト装置）
１０９………ネットワーク
１１１………データベース管理手段
１２１………分類領域割付手段
１２２………コマ割付手段
１２３………検索要求手段
１２４………商品割付手段
１２５………割付情報記録手段
１２６………割付結果出力手段
１２７………媒体制作データ出力手段
１２８………差し替え領域作成手段
２０１、４０１………制御部
２０２、４０２………記憶部
３０１………商品情報データベース
３０２………掲載情報データベース
３１０………商品情報
３１１………スペック情報（文字情報）
３１２………素材情報（画像情報）
３２０………割付情報
３２１………マスタ情報
３２２………分類情報
３２３………コマ情報
３２４………差し替え版情報
３２５………差し替え領域情報
１２………チラシリスト
１３………レイアウトエリア
１４………掲載リスト
２０………マスタ版
２１………ページ
２２………分類領域
２３………コマ（掲載領域）
２４………差し替え版
２５………差し替え領域
２６………コマ割付
２７………差し替え領域設定
２８………分類割付
【図１】
2006260133.tif 000003
【図２】
2006260133.tif 000004
【図３】
2006260133.tif 000005
【図４】
2006260133.tif 000006
【図５】
2006260133.tif 000007
【図６】
2006260133.tif 000008
【図７】
2006260133.tif 000009
【図８】
2006260133.tif 000010
【図９】
2006260133.tif 000011
【図１０】
2006260133.tif 000012
【図１１】
2006260133.tif 000013